(57)【特許請求の範囲】
【請求項１】
カメラで撮影された動画を撮影日時と共に蓄積して保管する動画保管装置と、該動画保管装置に接続された端末装置を備えた動画処理システムであって、
前記動画保管装置に保管された動画を前記端末装置の表示部に表示して、その動画のうちの選択された画像の先頭と後尾にマーク番号と先頭と後尾を示すデータによるマーキングを付与し、そのマーク番号及び先頭と後尾を示すデータを含むマーキングデータを画像の撮影日時を対応付けて前記端末装置の画像検索用の一覧表に登録しておき、
前記端末装置の表示部に前記画像検索用の一覧表を表示して、その一覧表から選択されたマーク番号及び画像の先頭を示すデータが含まれるマーキングデータと、前記マーク番号と異なるマーク番号及び画像の後尾を示すデータが含まれるマーキングデータの少なくとも２つのマーキングデータに対応する撮影日時を画像指定データとして前記端末装置から前記動画保管装置に送り、
前記動画保管装置は前記画像指定データの先頭と後尾を示すデータに該当する画像及びその画像間の画像を前記端末装置に転送して、前記端末装置は転送されてきた画像を表示部に表示することを特徴とする動画処理システム。
【請求項２】
請求項１に記載の動画処理システムにおいて、
前記動画保管装置は、複数のカメラで撮影された複数の動画を保管し、
前記複数の動画に共通の連続的なマーク番号を先頭または後尾を示すデータと共に付与することを特徴とする動画処理システム。
【請求項３】
請求項１に記載の動画処理システムにおいて、
前記端末装置は転送されてきた複数の画像を表示部に同時に表示することを特徴とする動画処理システム。
【請求項４】
カメラで撮影された動画を撮影日時と共に蓄積して保管する動画保管装置に接続された端末装置であって、
動画保管装置に保管された動画を表示部に表示して、前記動画のうちの選択された画像の先頭と後尾にマーク番号と先頭と後尾を示すデータによるマーキングを付与し、そのマーク番号及び先頭と後尾を示すデータを含むマーキングデータを画像の撮影日時を対応付けて前記端末装置の画像検索用の一覧表に登録しておき、
前記表示部に前記画像検索用の一覧表を表示し、その一覧表から選択されたマーク番号及び画像の先頭を示すデータが含まれるマーキングデータと、前記マーク番号と異なるマーク番号及び画像の後尾を示すデータが含まれるマーキングデータの少なくとも２つのマーキングデータに対応する撮影日時を画像指定データとして前記端末装置から前記動画保管装置に送り、
前記動画保管装置から前記画像指定データの先頭と後尾を示すデータに該当する画像及びその画像間の画像を取得して前記表示部に表示することを特徴とする端末装置。
【発明の詳細な説明】
【技術分野】
【０００１】
本発明は、蓄積された動画から目的の画像の再生や媒体への出力を行う動画処理システム及び端末装置に関するものである。
【背景技術】
【０００２】
店舗や建造物への侵入者（不審者）等の人物をカメラで撮影し、その画像を犯罪の証拠や予防に役立てるシステムが提案されている。従来のこの種のシステムとして、例えば特許文献１に示されるものがある。この特許文献１に示されるシステムでは、人の侵入を検知する侵入センサが侵入検知信号を出力すると監視カメラが撮影を開始し、撮影した動画が記憶部に記憶され、記憶された動画は監視センタからの要求により該監視センタに転送されるものとなっている。
【先行技術文献】
【特許文献】
【０００３】
【特許文献１】特開２０１０−１７１６３２号公報
【発明の概要】
【発明が解決しようとする課題】
【０００４】
しかしながら、上述した従来の技術においては、監視カメラが撮影した動画の中から、目的の画像、例えば不審者が写っている画像を検索する場合、再生装置によりモニタ画面上に動画を再生し、それを見ながら目的とする画像を探さなければならず、目的とする画像を検索するのに多くの時間を必要とするという問題がある。
【０００５】
また、複数のカメラで同時に撮影を行なった複数の動画を同時に再生するような場合、動画の早送り、巻き戻しなどを個々に行って目的とする画像を検索する必要があり、更に検索した画像をＣＤ等の媒体に出力する場合、個々のカメラについて時刻や範囲などを指定して媒体に出力することになるので、煩雑な操作が必要になるという問題がある。
本発明は、このような問題を解決することを課題とする。
【課題を解決するための手段】
【０００６】
そのため、本発明は、カメラで撮影された動画を撮影日時と共に蓄積して保管する動画保管装置と、該動画保管装置に接続された端末装置を備えた動画処理システムであって、前記動画保管装置に保管された動画を前記端末装置の表示部に表示して、その動画のうちの選択された画像の先頭と後尾にマーク番号と先頭と後尾を示すデータによるマーキングを付与し、そのマーク番号及び先頭と後尾を示すデータを含むマーキングデータを画像の撮影日時を対応付けて前記端末装置の画像検索用の一覧表に登録しておき、前記端末装置の表示部に前記画像検索用の一覧表を表示して、その一覧表から選択されたマーク番号及び画像の先頭を示すデータが含まれるマーキングデータと、前記マーク番号と異なるマーク番号及び画像の後尾を示すデータが含まれるマーキングデータの少なくとも２つのマーキングデータに対応する撮影日時を画像指定データとして前記端末装置から前記動画保管装置に送り、前記動画保管装置は前記画像指定データの先頭と後尾を示すデータに該当する画像及びその画像間の画像を前記端末装置に転送して、前記端末装置は転送されてきた画像を表示部に表示することを特徴とする。
【発明の効果】
【０００７】
このようにした本発明は、必要に応じて端末装置の表示部に画像検索用一覧表を表示させてマーキングデータを指定することで、マーキングデータに該当する先頭と後尾を画像及びその画像間の画像を蓄積サーバ３から取得することができるため、マーキングデータを指定するだけの簡単な操作により目的とする画像の検索、表示を短時間で行うことが可能になるという効果が得られ、マーキングデータ間の画像を所望の時に再生したり、媒体に記録することが容易になる。
【図面の簡単な説明】
【０００８】
【図１】第１の実施例を示すシステム構成図
【図２】第１の実施例における蓄積サーバの構成を示すブロック図
【図３】第１の実施例における閲覧ＰＣの構成を示すブロック図
【図４】第１の実施例による画像のマーキング例を示す図
【発明を実施するための形態】
【０００９】
以下、図面を参照して本発明による動画処理システムの実施例を説明する。
【実施例１】
【００１０】
図１は第１の実施例を示すシステム構成図で、図において１は監視カメラ、２は（Digital Video Recorder）等の記憶装置、３は蓄積サーバ、４は閲覧ＰＣであり、前記記憶装置２、動画保官装置としての蓄積サーバ３、閲覧ＰＣ４はネットワーク（通信回線）５に接続されていて、互いに通信可能になっている。
【００１１】
監視カメラ１は店舗や建造物内の所定の監視位置に設置されていて、記憶装置２に接続されている。この監視カメラ１で撮影された動画（映像）は監視カメラ１を特定するため識別子（以下、カメラ番号）及び撮影日時のデータと共に記憶装置２に送られる。尚、撮影日時のデータは動画の１コマの画像ごとに付加されている。また、監視カメラ１は、図では１台のみを示しているが、同一店舗内や建造物内に複数設置されていてもよい。
記憶装置２は監視カメラ１で撮影された動画（映像）をカメラ番号及び撮影日時のデータと共に一時的に記憶する装置である。
【００１２】
図２は蓄積サーバ３の構成を示すブロック図で、この図に示すように蓄積サーバ３は制御部３１、記憶部３２及び動画保管部３３を有し、制御部３１は記憶部３２に記憶された制御プログラムに基づいて記憶装置２に記憶されている動画とカメラ番号及び撮影日時のデータを定期的に取得し、動画保管部３３に蓄積保管する機能を有している。
【００１３】
図３は閲覧ＰＣ４の構成を示すブロック図で、この閲覧ＰＣ４は、蓄積サーバに蓄積保管された動画を視聴する端末装置であり、マウスやキーボード等の入力部４１、蓄積サーバ３から動画を取得するための操作画面や取得した動画等を表示する表示部（モニタ）４２、動画をＣＤ等の媒体に記録（出力）するための記録部４３、本発明に必要な画面データや制御プログラム等を記憶すると共に後述するマーキングデータとカメラ番号及び撮影日時を対応付けた画像検索用の一覧表データ等を記憶する記憶部４４、これらを制御する制御部４５等を備えている。
【００１４】
上述した構成の作用について説明する。尚、以下に説明するカメラ１及び記憶装置２の動作は、それぞれに具備された図示しない記憶部に格納されている制御プログラムに基づいて図示しない各々の制御部により制御されるものとする。
また、閲覧ＰＣ３及び蓄積サーバ４の動作は、それぞれの記憶部３２及び４４に格納されている制御プログラムに基づいて各々の制御部３１及び４５により制御されるものとする。
【００１５】
まず、監視カメラ１で撮影された動画（映像）はカメラ番号及び撮影日時のデータと共に記憶装置２に送られ、記憶装置２は監視カメラ１から送られてきた動画をカメラ番号及び撮影日時のデータと共に一時的に記憶する。蓄積サーバ３は記憶装置２に対して未収集の動画の要求を定期的に送り、その要求に対して記憶装置２から送られてくる動画とカメラ番号及び撮影日時のデータを動画保管部３３に蓄積保管する。
【００１６】
閲覧ＰＣ４の操作者は、閲覧ＰＣ４の入力部４１を操作して、マーキング処理していない動画を蓄積サーバ３に要求する。この場合、マーキング処理していない動画を指定するデータとしては撮影日時等を用いることができる。この要求に対して蓄積サーバ３の制御部３１は該当する動画を動画保管部３３から読みだして閲覧ＰＣ４に転送し、閲覧ＰＣ４では蓄積サーバ３から送られてきた動画を表示部４２に表示する。それを見て操作者は後で再生や媒体への記録が必要な画像、例えば不審者が写っている画像に対して入力部４１の操作によりマーキング処理を行う。
【００１７】
例えば、不審者が現れた箇所で「開始位置」であることを画面上のメニューやボタン等から指示することにより、動画の当該フレームに対して開始のマークを指定する。同様に不審者がいなくなった箇所で「終了位置」であることを指示することにより、動画の当該フレームに対して終了のマークを指定する。指定されたマークは、マーキングデータとして記憶部４４に記憶される。マーキングデータは、対応する動画ファイル名と、開始または終了の区別、および、当該動画ファイルの何フレーム目であるか、また先頭からの経過時間、撮影時の実時間、等からなるものとする。マーキングデータを参照することにより、当該ファイルのどの位置から、どの位置までが指定された範囲であるのかを特定することができる。またさらに、1対の開始および終了のマーキング操作に対してシーケンシャルな番号を付与し、マーキングデータとして記憶する。これにより、１つのファイルに対して複数のマーキングを行うことが可能となっている。
【００１８】
図４は画像のマーキング例を示す図で、ここでは同一店舗内や建造物内の別々の場所、例えば、銀行の入り口付近を撮影する場所とＡＴＭブースを撮影する場所に設置された２台の監視カメラ１（以下、カメラ１a、１ｂとする）の動画の場面（画像）に対してマーキング処理した例を示しており、図中の各場面は動画の１コマ毎の画像である。
図４の例では、カメラ１aで撮影した動画（連続画像）に対して、“場面２”から“場面ｎ”にマーク１をマーキング（付与）するものとして、その先頭の“場面２”に開始の「マーク１  Ｓｔａｒｔ」を、後尾の“場面ｎ”に終了の「マーク１  Ｅｎｄ」をそれぞれマーキングしている。
【００１９】
また、カメラ１ｂで撮影した動画（連続画像）に対しては、“場面４”から“場面ｎ＋１” にマーク２をマーキング（付与）するものとして、その先頭の“場面４”に開始の「マーク２  Ｓｔａｒｔ」を、後尾の“場面ｎ＋１”に終了の「マーク２  Ｅｎｄ」をそれぞれマーキングしている。
この場合のマーク１とマーク２のマーク番号である「１」と「２」はシーケンシャルな番号（連続番号）で、例えばカメラ１aや１ｂで撮影した動画の他の場面に対して次にマーキングする場合は、その先頭の場に「マーク３  Ｓｔａｒｔ」が、後尾の場面に終了の「マーク３  Ｅｎｄ」がそれぞれマーキングされることになる。
【００２０】
このように、随時マーキングが行われると、閲覧ＰＣ４の制御部３１は、「マーク１  Ｓｔａｒｔ」、 「マーク１  Ｅｎｄ」のマーキングデータにカメラ番号及び撮影日時のデータを対応付け、また「マーク２  Ｓｔａｒｔ」、 「マーク２  Ｅｎｄ」のマーキングデータにカメラ番号及び撮影日時のデータを対応付けて、記憶部４４の画像検索用一覧表に登録する。他の場面に「マーク３  Ｓｔａｒｔ」、「マーク３  Ｅｎｄ」がマーキングされた場合も同様である。
【００２１】
次に、画像の再生や媒体への記録を行う場合、閲覧ＰＣ４の操作者は、閲覧ＰＣ４の入力部４１を操作して、画像検索用一覧表の表示を指示し、これにより制御部４５が画像検索用一覧表の表示部４２に表示すると、操作者は画像検索用一覧表の中から先頭と後尾の少なくとも２つのマーキングデータを選択する。これにより選択されたマーキングデータに対応付けられたカメラ番号と撮影日時のデータが画像指定データとして画像転送要求と共に閲覧ＰＣ４から蓄積サーバ３に送られ、蓄積サーバ３の制御部３１は、前記２つの先頭と後尾のマーキングデータ間の画像を動画保管部３３を検索して、検索した画像を閲覧ＰＣ４に転送し、閲覧ＰＣ４の制御部４５はその画像を表示部４２に表示する。
【００２２】
例えば、マーク番号と先頭を示す「マーク１  Ｓｔａｒｔ」、マーク番号と後尾を示す「マーク１  Ｅｎｄ」のマーキングデータを選択すると、それに対応するカメラ番号と撮影日時のデータが画像転送要求と共に蓄積サーバに送られる。蓄積サーバ３からカメラ１aで撮影した動画の “場面２”から“場面ｎ”までの画像が転送されてきて、表示部４２に表示される。同様に「マーク２  Ｓｔａｒｔ」、「マーク２  Ｅｎｄ」のマーキングデータを選択した場合は、それに対応するカメラ番号と撮影日時のデータが画像指定データとして画像転送要求と共に蓄積サーバに送られ、蓄積サーバ３はカメラ番号と撮影日時のデータを基にカメラ１ｂで撮影した動画の “場面４”から“場面ｎ＋１”までの画像を検索する。検索した画像は蓄積サーバ３から閲覧ＰＣ４に転送され、閲覧ＰＣ４の表示部４２に表示される。
【００２３】
また、マーク１とマーク２の２種類について、マーク１の先頭を示す「マーク１  Ｓｔａｒｔ」と、マーク２の後尾を示す「マーク２  Ｅｎｄ」のマーキングデータを選択した場合は、「マーク１  Ｓｔａｒｔ」、「マーク１  Ｅｎｄ」に対応するカメラ番号と撮影日時のデータ及び「マーク２  Ｓｔａｒｔ」、「マーク２  Ｅｎｄ」に対応するカメラ番号と撮影日時のデータが画像指定データとして画像転送要求と共に蓄積サーバ３に送られ、これにより蓄積サーバ３は前記と同様にカメラ１aで撮影した動画の “場面２”から“場面ｎ”までの画像と、カメラ１ｂで撮影した動画の “場面４”から“場面ｎ＋１”までの画像を検索して、蓄積サーバ３から閲覧ＰＣ４に転送され、閲覧ＰＣ４の表示部４２に表示される。この場合もカメラ１aで撮影した動画の “場面２”から“場面ｎ”までの画像と、カメラ１ｂで撮影した動画の “場面４”から“場面ｎ＋１”までの画像が表示部の同一画面に表示される。
【００２４】
あるいは、カメラ１ａ、ｂ両方の動画を撮影時の実時間を同期させつつ再生し、両方の動画について場面２から場面Ｎ＋１までを再生してもよい。この場合、一方の動画についてはマークした範囲外も再生されることになるが、それにより不審者に関し新たな情報を得られる可能性がある。すなわち、他方の動画で不審者がいると判断されている時間帯の動画であるので、その動画を単独で確認した場合は気づかなかった重要情報が記録されていた場合に、それと気づくことが期待される。
【００２５】
また、この他にも、カメラ１aで撮影した動画の「マーク１  Ｓｔａｒｔ」、「マーク１  Ｅｎｄ」の場面以外の場面に、例えば「マーク３  Ｓｔａｒｔ」、「マーク３  Ｅｎｄ」が付与された場合、「マーク１  Ｓｔａｒｔ」と「マーク３  Ｅｎｄ」のマーキングデータを選択した場合は、「マーク１  Ｓｔａｒｔ」、「マーク１  Ｅｎｄ」に対応するカメラ番号と撮影日時のデータ、「マーク２  Ｓｔａｒｔ」、「マーク２  Ｅｎｄ」に対応するカメラ番号と撮影日時のデータ、及び「マーク３  Ｓｔａｒｔ」、「マーク３  Ｅｎｄ」に対応するカメラ番号と撮影日時のデータが画像指定データとして画像転送要求と共に蓄積サーバ３に送られ、その画像指定データに対応する場面間の画像が蓄積サーバ３から転送されてきて、閲覧ＰＣ４の表示部４２に表示される。この場合も画像指定データに対応する各画像は表示部４２の同一画面に表示される。
【００２６】
つまり、本実施例では、シーケンシャルなマーク番号及び開始と終了を選択することで、複数の監視カメラ１で撮影した動画の内、選択されたマーク番号とそのマーク番号の先頭と後尾のデータに該当する画像及びその画像間の画像が送られてくるように転送方法が閲覧ＰＣ４に設定されていて記憶部４４に保存されており、この転送方法により閲覧ＰＣ４で蓄積サーバ３から必要な画像を取得して表示部に再生表示するようにしている。表示部に表示された画像は閲覧ＰＣ４の入力部の操作により繰り返して再生可能である。
【００２７】
あるいは、選択された複数のマーク番号について、マーク番号ごとの開始と終了の範囲が重なっている場合は連続したマークとして扱い、指定されたマークが複数のファイルに対応するものである場合は、それら複数のファイルをいずれも、前記連続したマークの範囲について再生表示する。
また、表示部に表示された画像をＣＤなどの媒体に出力して記録する場合は、媒体を閲覧ＰＣ４の記録部４４にセットし、入力部４１を操作して記録を指示すると、記録部４４により媒体に画像を記録することができる。この場合、記録する画像は、入力部４１でマーク番号を指定することで選択可能である。
【００２８】
以上説明した第１の実施例によれば、閲覧ＰＣ４で動画内の必要画像の先頭と後尾の画像にマーク１、マーク２等の複数のマーク番号（マークの種類）と先頭と後尾を示すデータによるマーキングデータを付与し、そのマーキングデータにカメラ番号及び撮影日時のデータを対応付けて、画像検索用一覧表に登録しておき、必要に応じて閲覧ＰＣ４の表示部４２に画像検索用一覧表を表示させてマーキングデータを指定することで、マーキングデータに該当する先頭と後尾の画像及びその画像間の画像を蓄積サーバ３から取得することができるようにしているため、マーキングデータを指定するだけの簡単な操作により目的とする画像の検索、表示を短時間で行うことが可能になるという効果が得られ、マーキングデータ間の画像を所望の時に再生したり、媒体に記録することが容易になる。
【００２９】
また、複数のマーク番号（マークの種類）と先頭と後尾を示すデータを指定することで、目的とする画像をジャンプして取得することも可能になるという効果も得られる。
また、マーク番号及び先頭を示すマーキングデータと、そのマーク番号と異なるマーク番号及び後尾を示すマーキングデータを指定した場合、それぞれのマーキングデータに該当する先頭と後尾の画像及びその画像間の画像を蓄積サーバ３から取得できるので、複数台の監視カメラ１で撮影した動画に対しても、簡単な操作により目的とする画像の検索、取得を短時間で行うことが可能になるという効果が得られる。
また、複数のファイルに指定された複数のマークを選択し、選択されたマークに応じて複数のファイルを再生することで、不審者の情報をより確認しやすくなるという効果が得られる。
【００３０】
上述した第１の実施例では、２台の監視カメラ１で撮影した動画に対してマーキング処理を施す場合を例にして説明したが、３台以上の監視カメラ１で撮影した動画に対してマーキング処理を施し、それを画像検索用の一覧表データに登録することで、第１の実施例と同様に目的とする画像の検索、取得、再生、媒体への記録を行うことができる。
例えば、３台の監視カメラ１をカメラ１ａ、１ｂ、１ｃとして、カメラ１ａを銀行の入り口付近を撮影するように設置し、カメラ１ｂを銀行の入り口から特定の場所（例えばＡＴＭブース）に続く通路を撮影するように設置し、カメラ１ｃを特定の場所内を撮影するように設置する。
【００３１】
このように３台のカメラ１ａ、１ｂ、１ｃを複数個所設定して、これら３台のカメラ１ａ、１ｂ、１ｃで撮影した動画を記憶装置２に一時記憶した後、蓄積サーバ３の動画保官部３３に蓄積保管し、蓄積された動画を第１の実施例と同様に閲覧ＰＣ４の表示部４２に表示して目的場面の画像に入力部の操作でマーキング処理を施す。
この場合、カメラ１ａで撮影した動画に銀行の人物が入ってきた場面が記録され、カメラ１ｂで撮影した動画に通路を通って人物が特定の場所に向かう場面が記録され、カメラ１ｃで撮影した動画に特定の場所の中で人物が動いている場面が記録されているものとする。
【００３２】
このようなケースで、動画中の人物の全般の行動を確認する場合、カメラ１ａの動画の内の人物が写っている最初の場面（画像）に「マーク１  Ｓｔａｒｔ」を、最後の場面（画像）に「マーク１  Ｅｎｄ」を付与し、カメラ１ｂの動画の内の人物が写っている最初の場面（画像）に「マーク２  Ｓｔａｒｔ」を、最後の場面（画像）に「マーク２  Ｅｎｄ」を付与し、カメラ１ｃの動画の内の人物が写っている最初の場面（画像）に「マーク３  Ｓｔａｒｔ」を、最後の場面（画像）に「マーク３  Ｅｎｄ」を付与する。
【００３３】
このように３台のカメラ１ａ、１ｂ、１ｃで撮影した動画に対してマーキング処理すると、閲覧ＰＣ４の制御部４５は、「マーク１  Ｓｔａｒｔ」、 「マーク１  Ｅｎｄ」のマーキングデータにカメラ番号及び撮影日時のデータを対応付け、また「マーク２  Ｓｔａｒｔ」、 「マーク２  Ｅｎｄ」のマーキングデータにカメラ番号及び撮影日時のデータを対応付け、「マーク３  Ｓｔａｒｔ」、 「マーク３  Ｅｎｄ」のマーキングデータにカメラ番号及び撮影日時のデータを対応付けこれを画像検索データとして、記憶部４４の画像検索用一覧表に登録する。
【００３４】
画像の再生や媒体への記録を行う場合、第１の実施例と同様に、閲覧ＰＣ４の操作者は、閲覧ＰＣ４の入力部４１を操作して、画像検索用一覧表の表示を指示し、これにより画像検索用一覧表が表示部４２に表示されるので、操作者は画像検索用一覧表の中からマーク１、２、３の「Ｓｔａｒｔ」、「Ｅｎｄ」のマーキングデータを選択する。これにより選択されたマーキングデータに対応付けられたカメラ番号と撮影日時のデータが画像指定データとして画像転送要求と共に蓄積サーバ３に送られ、蓄積サーバ３で前記と同様に画像の検索が行われて画像指定データに該当する画像が蓄積サーバ３から閲覧ＰＣ４に転送され、閲覧ＰＣ４の表示部４２にカメラ１ａ〜１ｃで撮影された動画が同時に表示される。つまり、カメラ１ａ〜１ｃで撮影された動画中の人物の全般の行動の場面の画像が同時に表示されるので、人物の行動を確認することができる。無論、リピート（繰り返し）再生も可能であり、ＣＤ等の媒体に記録することもできる。
【００３５】
尚、以上の説明において、マーキングはとりあえず目的画像と思われる場面に施し、後から不要なマークを削除するなど操作が容易に出来る。
また、マークの選択はそれぞれ「Ｓｔａｒｔ」、「Ｅｎｄ」を選択するとしたが、マーク番号の指定により選択するようにしても良い。この場合、例えば「マーク１」を選択すると、「マーク１  Ｓｔａｒｔ」と「マーク１  Ｅｎｄ」が選択されたのと同じ状態となる。
本発明は、上述した実施例に限られるものではなく、動画作成の分野に適用することで、オーサリング作成を行うことも可能である。
【符号の説明】
【００３６】
１    監視カメラ
２    記憶装置
３    蓄積サーバ
４    閲覧ＰＣ
５    ネットワーク
【図１】
0005906806.tif 000002
【図２】
0005906806.tif 000003
【図３】
0005906806.tif 000004
【図４】
0005906806.tif 000005